(57)【要約】【課題】船舶の推進力だけで解錠できるようにして、作業員の安全性と利便性の向上を図る。極めて簡単かつ安価な通船ゲートとする。【解決手段】二枚の扉体３，３のうちいずれか一方に、相手側の扉体３にまで延び出ていてこの扉体３の溝３ｃに係脱させ得る可倒式のロックピン５を、軸を中心として回動するように取り付ける。溝３ｃの直下には、押上部材であって前記ロックピン５と係合させ得る押上ピン５ａを上下移動可能に配置する。二枚の扉体３，３には、各扉体３，３に対して摺動させ得るスライドアーム６を前後方向に取り付ける。このスライドアーム６の前後両端には、船舶保護材７，７を取り付ける。また、このスライドアーム６には、ブイプレート８を取り付け、このブイプレート８に圧縮ばね８ａを備える。ブイプレート８の上縁部にＶ字形の傾斜面８ｂを形成し、この傾斜面８ｂに前記押上ピン５ａの下端を係合させる。【選択図】　図６
2004132140.tif 000002
【特許請求の範囲】
【請求項１】
フロートにより半水没状に支持される枠体を有し、この枠体に開閉自在の扉体を取り付けた通船ゲートにおいて、開閉部分における固定側に、被固定側となる扉体にまで延び出ていてこれと係脱させ得る可倒式のロック部材を備え、前記扉体には、通船時において船舶が船舶保護材を押したとき前記ロック部材と係合して被固定側となる扉体に対するロック部材の係合を自動的に解き、通船後の閉扉時において被固定側となる扉体に前記ロック部材を自動的に係合させる自動ロック手段を備えたことを特徴とする自動ロック式通船ゲート。
【請求項２】
自動ロック手段が、船舶保護材に取り付けられていて船舶がこの船舶保護材を押したとき扉体に対して摺動させ得るスライドアームと、このスライドアームに取り付けられたブイプレートと、被固定側となる扉体と係脱させ得るロック部材と係合する押上部材と、前記ブイプレートに備えられている圧縮ばねと、通船後の閉扉時において前記ロック部材を扉体の溝に導く案内部材とで構成され、前記ブイプレートの傾斜面を前記押上部材と係合させたことを特徴とする請求項１記載の自動ロック式通船ゲート。
【請求項３】
開扉された扉体を自動的に閉扉する手段を備え、この手段による閉扉に応じてロック部材を被固定側となる扉体に自動的に係合させて施錠し得るようになっていることを特徴とする請求項１又は２記載の自動ロック式通船ゲート。
【請求項４】
開扉された扉体を自動的に閉扉する手段が、枠体に扉体を開閉自在に取り付けるためのテーパー型ヒンジと、このヒンジの枢軸に取り付けられている圧縮ばねとねじりばねとで構成されることを特徴とする請求項３記載の自動ロック式通船ゲート。
【請求項５】
開扉された扉体を自動的に閉扉する手段が、枠体に扉体を開閉自在に取り付けるために通常用いられるヒンジの枢軸に取り付けられている圧縮ばねとねじりばねと補助的に扉体から吊り下げられているウエイトとで構成されることを特徴とする請求項３記載の自動ロック式通船ゲート。
【請求項６】
開扉された扉体を自動的に閉扉する手段が、扉体から吊り下げられているウエイトのみで構成されることを特徴とする請求項３記載の自動ロック式通船ゲート。
【請求項７】
開扉された扉体を自動的に閉扉する手段が、扉体から枠体内に延び出させたワイヤロープを枠体内で掛架する動滑車とこれに取り付けられているウエイトとで構成されることを特徴とする請求項３記載の自動ロック式通船ゲート。
【発明の詳細な説明】
【０００１】
【発明の属する技術分野】
本発明は、貯水池やダム湖等の取水口に塵芥や流木などが流れ込むのを防止するためにその前方に設けられる流木止め設備などに用いられる通船ゲート、さらに詳しくは、通船により扉体を自動的に開扉し、通船後自動的に施錠、ロックできる形式のものに関する。
【０００２】
【従来の技術】
貯水池やダム湖等に設置されている流木止め設備Ａの途中には、図１に示すように、集塵船や巡視船が通過できるように通船ゲートＢが設けられ、常時は閉じていて塵芥、流木などが流れるのを阻止し、通船時はゲートを開いて船を通す役目をしている。
この通船ゲートＢは、従来、図９及び図１０に示すように、流木止め設備Ａの途中にフロート１により半水没状に支持される枠体２を配置し、該枠体２に取り付けた扉支持金具２ｂ’に扉体３を支持させ、それを片開き又は観音開きさせ得るようにしたものである。
【０００３】
【発明が解決しようとする課題】
この扉体３は施・解錠させ得るようになっており、従来の場合には、図１１に示すように、扉体３の上部に位置させた可倒式の錠部材Ｃを手動（手あるいはボートフックその他のもの）で開閉させる方式であった。すなわち、通船時には船の前側から作業員が手動で錠部材Ｃを図１１の点線で示すように起こして解錠し、船舶の推進力で解錠後の扉体３を開扉し、通船後再び作業員が手動で錠部材Ｃを図１１の実線で示すように倒して施錠する方式であった。従って、通船開始から完了までに時間を要するのみならず、扉体３を施・解錠するための錠部材Ｃの開閉作業時に作業員が落水する可能性があった。また、従来の場合には、施・解錠作業が手動で行われるため、船舶には操縦士のほかに施・解錠作業を行う人員が必要であった。
【０００４】
これらの欠点を解消するために、船舶の推進力だけで解錠、開扉されるようにし、作業員の安全性の向上を図るとともに電動機等扉体を自動的に開扉するための機器を備えたものに比べて安価となるようにしたものとして、開閉部分における被固定側となる扉体に、防舷フロートと、この防舷フロートを船舶の船首が押したとき扉体に対してスライドさせ得るロックピン軸とを、相手側の扉体に、前記ロックピン軸の先端に備えられているロックピンを係脱させ得るロック金具を備えたものが開発されている（例えば、特許文献１参照）。
【０００５】
【特許文献１】
特開２００２−１２９５４０号公報（第２〜５頁、第２〜６図）
【０００６】
【課題を解決するための手段】
本発明も船舶の推進力だけで解錠、開扉されるようにしたものであって、特許文献１に示す機構とは異なる機構を採用したものである。すなわち、本発明は、フロートにより半水没状に支持される枠体を有し、この枠体に開閉自在の扉体を取り付けた通船ゲートにおいて、開閉部分における固定側に、被固定側となる扉体にまで延び出ていてこれと係脱させ得る可倒式のロック部材が備えられ、前記扉体には、通船時において船舶が船舶保護材を押したとき前記ロック部材と係合して被固定側となる扉体に対するロック部材の係合を自動的に解き、通船後の閉扉時において被固定側となる扉体に前記ロック部材を自動的に係合させる自動ロック手段が備えられている。
【０００７】
通船時において、船舶が船舶保護材を押すと、それに連動して被固定側となる扉体と係合しているロック部材の係合が自動的に解け、自動的に解錠することができる。通船後閉扉されると、自動ロック手段により、被固定側となる扉体に前記ロック部材が自動的に係合せしめられ、自動的に施錠、ロックできる。すなわち、通船により扉体を自動的に開扉し、通船後自動的に施錠、ロックできる。
このように、船舶の推進力だけで解錠することができるから、作業員の安全性の向上を図ることができるのみならず、利便性が大幅に向上する。また、電動機等扉体を自動的に開扉するための高価な機器を備えていないから、そのような機器を備えたものに比べて安価となる。
【０００８】
自動ロック手段を、船舶保護材に取り付けられていて船舶がこの船舶保護材を押したとき扉体に対して摺動させ得るスライドアームと、このスライドアームに取り付けられたブイプレートと、被固定側となる扉体と係脱させ得るロック部材と係合する押上部材と、前記ブイプレートに備えられている圧縮ばねと、通船後の閉扉時において前記ロック部材を扉体の溝に導く案内部材とで構成し、前記ブイプレートの傾斜面を前記押上部材と係合させておくのがよい。
【０００９】
通船時において、船舶が船舶保護材を押すと、それに連動して扉体に対してスライドアームが摺動し、このスライドアームに取り付けられているブイプレートも同じ方向に移動する。この時、ブイプレートの傾斜面が押上部材を押し上げるので、被固定側となる扉体に係合していたロック部材がこの押上部材により押し上げられ、被固定側となる扉体に対するロック部材の係合が自動的に解け、船舶の推進力だけで自動的に解錠することができる。そして、船舶の推進力でその扉体を開扉することができる。
【００１０】
通船後は船舶が船舶保護材を押さなくなるから、ブイプレートに備えられている圧縮ばねの反撥力によりスライドアームは元の位置に戻り、それに伴ってブイプレートも元の位置へと摺動し、押上部材を下げる。そして、通船後開いていた扉体が閉まると、それに応じて案内部材がロック部材を扉体の溝に導き、やがてロック部材はその溝に係合せしめられ、自動的に施錠、ロックできる。
このように、極めて簡単かつ安価な自動ロック手段を用いて、通船により扉体を自動的に開扉し、通船後自動的に施錠、ロックできる。
なお、この場合においては、船舶が船舶保護材を押すことによる水平運動が、スライドアームに取り付けられているブイプレートの傾斜面により上下運動に変換され、さらに、これがロック部材の回転運動に変換されることになる。
【００１１】
開扉された扉体を自動的に閉扉する手段を備え、この手段による閉扉に応じてロック部材を被固定側となる扉体に自動的に係合させて施錠、ロックし得るようになっていることが望ましい。
この場合には、開扉された扉体を自動的に閉扉する手段により、開扉された扉体は自動的に閉扉される。そして、この閉扉に応じてロック部材が被固定側となる扉体に自動的に係合し、自動的に施錠、ロックできる。
【００１２】
開扉された扉体を自動的に閉扉する手段を、枠体に扉体を開閉自在に取り付けるためのテーパー型ヒンジと、このヒンジの枢軸に取り付けられている圧縮ばねとねじりばねとで構成するとよい。
この場合には、テーパー型ヒンジにより枠体に取り付けられている扉体が、このヒンジの枢軸に取り付けられている圧縮ばねの圧縮力とねじりばねのねじり力により、テーパー型ヒンジの枢軸を中心にして自動的に閉まる。従って、開扉された扉体を自動的に閉扉することができる。
【００１３】
開扉された扉体を自動的に閉扉する手段を、枠体に扉体を開閉自在に取り付けるために通常用いられるヒンジの枢軸に取り付けられている圧縮ばねとねじりばねと補助的に扉体から吊り下げられているウエイトとで構成するとよい。
この場合には、通常のヒンジにより枠体に取り付けられている扉体が、このヒンジの枢軸に取り付けられている圧縮ばねの圧縮力とねじりばねのねじり力と補助的に扉体から吊り下げられているウエイトの重みにより、通常用いられるヒンジの枢軸を中心にして自動的に閉まる。従って、開扉された扉体を自動的に閉扉することができる。
【００１４】
開扉された扉体を自動的に閉扉する手段を、扉体から吊り下げられているウエイトのみで構成してもよい。この場合には、扉体から吊り下げられているウエイトの重みのみの極めて簡単な機構で、開扉された扉体を自動的に閉扉することができる。
【００１５】
開扉された扉体を自動的に閉扉する手段を、扉体から枠体内に延び出させたワイヤロープを枠体内で掛架する動滑車とこれに取り付けられているウエイトとで構成してもよい。この場合には、たとえ水深がない場合でもウエイトが着底しないため、扉体の自動閉扉が可能となり、扉体からウエイトを吊り下げる場合に比べて極めて有利である。
【００１６】
本発明は、片開き式の扉、観音開き式の扉のいずれにも適用できる。片開き式の扉に適用する場合には、開閉部分における固定側に、被固定側となる扉体、すなわち、開扉側にまで延び出ていてこれと係脱させ得る可倒式のロック部材を設け、前記扉体には、通船時において船舶が船舶保護材を押したとき前記ロック部材と係合して被固定側となる扉体に対するロック部材の係合を自動的に解き、通船後の閉扉時において被固定側となる扉体に前記ロック部材を自動的に係合させる自動ロック手段を設けておけばよい。
観音開き式の扉に適用する場合には、二枚の扉体のうちの一方をもう一方の扉体に固定できればよいから、この場合には、二枚の扉体のうちいずれか一方に、相手側の扉体にまで延び出ていてこれと係脱させ得る可倒式のロック部材を設け、前記二枚の扉体のうち少なくともいずれか一方に、通船時において船舶が船舶保護材を押したとき前記ロック部材と係合して相手側の扉体に対するロック部材の係合を自動的に解き、通船後の閉扉時において相手側の扉体に前記ロック部材を自動的に係合させる自動ロック手段を設けておけばよい。
【００１７】
【発明の実施の形態】
本発明の好ましい実施の形態を、図面に基いて詳細に説明する。
流木止め設備Ａは、図１に示すように、貯水池やダム湖等の取水口の前方に設置されるものであり、その途中には通船ゲートＢが設けられている。
図２、図３に、本発明の通船ゲートＢの概要を示す。なお、図９〜図１１に示す従来のものと根本的に異なる所は船舶の推進力だけで解錠して再び施錠できるか否かの点のみであるから、それ以外で両者共通するものについては同じ図面符号を付すこととする。
【００１８】
ここに示す通船ゲートＢは、左右二つのフロート１，１により半水没状に支持されるＵ字状の枠体２が配置され、該枠体２にテーパー型ヒンジ２ｂを介して観音開き式に開閉させ得る二枚の扉体３，３を設け、両扉体３，３を施・解錠し得るようにしたものである。左右二枚の扉体３，３は、図２の実線と鎖線とで示すように開閉自在である。テーパー型ヒンジ２ｂの枢軸には、図７に示すように、圧縮ばね１０とねじりばね１１とが取り付けられており、この圧縮ばね１０の圧縮力とねじりばね１１のねじり力により、両扉体３，３はテーパー型ヒンジ２ｂの枢軸を中心にして自動的に閉まるようになっている。すなわち、開扉された扉体を自動的に閉扉することができる。なお、枠体２にはプラットホーム２ａが設けられている。
【００１９】
両扉体３，３はそれぞれの扉枠３ａ，３ａに網３ｂ，３ｂを張ったもので、その高さは流木止め設備Ａの高さと同じにしてある。また、両扉体３，３にはフロート４，４を取り付けて水中重量を減ずるようにしてある。なお、網３ｂの周縁部は結束ロープで扉枠３ａに結び付けてある。
両扉体３，３のうちの一方の扉体（図２〜図５の右側の扉体）には、相手側の扉体（図２〜図５の左側の扉体）にまで延び出ていてこれと係脱させ得る可倒式のロックピン５が軸を中心として回動し得るように取り付けられている。このロックピン５は両扉体３，３にそれぞれ形成されている溝３ｃ，３ｃに嵌合させることができるロック部材であって、これが相手側の扉体３の溝３ｃに嵌合すると、その扉体３をロックすることになる。両扉体３，３にそれぞれ形成されている溝３ｃ，３ｃの直下には、押上部材であってロックピン５と係合させ得る押上ピン５ａが上下移動可能に配置されている。
【００２０】
左右二枚の扉体３，３には、各扉体３，３に対して摺動させ得るスライドアーム６，６が前後方向（図４では、上下方向、図６では、左右方向）に取り付けられている。そして、このスライドアーム６の前後両端には、取付腕６ａを介して船舶保護材７，７が図４において左右一対に、図６において上下二段に取り付けられている。
また、このスライドアーム６には、図６に示すように、ブイプレート８が取り付けられている。このブイプレート８には、左右に２つの圧縮ばね８ａ，８ａが備えられている。一方、ブイプレート８の上緑部には図６においてＶ字形の傾斜面８ｂが形成されており、この傾斜面８ｂに前記押上ピン５ａの下端が係合させてある。
【００２１】
また、前記扉体３の上端部には、図４に示すように、前記溝３ｃが中心となるように平面菱形となる枠状の案内部材９が取り付けられている。この案内部材９には、図６に示すように、通船後の閉扉時において扉体３，３にそれぞれ形成されている溝３ｃ，３ｃに前記ロックピン５を導くための傾斜面９ａが形成されている。
以上述べた装置が、通船時において船舶Ｃが船舶保護材７を押したときロック部材であるロックピン５と係合して相手側の扉体３に対するロックピン５の係合を自動的に解き、通船後の閉扉時において相手側の扉体３に前記ロックピン５を自動的に係合させる自動ロック手段である。
【００２２】
通船ゲートＢとなる閉扉状態の左右二枚の扉体３，３に、図２及び図６（ａ）の矢印方向から船舶Ｃが近づいてきて、図６（ｂ）に示すようにいずれか一方の船舶保護材７を押すと、それに連動して扉体３に対してスライドア−ム６が図６の左側に向って摺動し、このスライドアーム６に取り付けられているブイプレート８も同じ方向に移動する。この時、ブイプレート８の傾斜面８ｂが、図６（ｂ）に示すように、押上部材である押上ピン５ａを押し上げるので、両扉体３，３にそれぞれ形成されている溝３ｃ，３ｃに係合していたロック部材であるロックピン５がこの押上ピン５ａにより押し上げられて図６（ｃ）に示すように溝３ｃから外れ、少なくとも被固定側となる扉体３（図２〜図５の左側に現れる）に対するロックピン５の係合が自動的に解け、船舶Ｃの推進力だけで自動的に解錠することができる。そして、船舶Ｃの堆進力でその扉体３，３を開扉することができる。
【００２３】
通船後は船舶Ｃが船舶保護材７を押さなくなるから、ブイプレート８に備えられている圧縮ばね８ａの反撥力により、スライドアーム６は図６（ｃ）に示すように元の位置に戻り、それに伴ってブイプレート８も元の位置へと摺動して最も低い位置で押上ピン５ａと係合することになるから、この押上ピン５ａを下げる。
そして、通船後開いていた扉体３が閉まると、それに応じて案内部材９の傾斜面９ａがロックされていないロックピン５を、図６（ｃ）のＰ１からＰ２を経て矢印で示すように扉体３，３の溝３ｃ，３ｃに導き、やがてロックピン５は図６（ａ）に示すように自重でその溝３ｃに落ちて係合せしめられることになり、自動的に施錠、ロックすることができる。
【００２４】
このように、通船により二枚の扉体３，３を自動的に開扉し、通船後自動的に施錠、ロックすることができる。この場合において、船舶Ｃが船舶保護材７を押すことによる水平運動が、スライドアーム６に取り付けられているブイプレート８の傾斜面８ｂにより上下運動に変換され、さらに、これがロック部材であるロックピン５の回転運動に変換されることになる。
二枚の扉体３，３を開扉するに当っては、船舶Ｃの推進力だけで解錠することができるから、作業員の安全性の向上を図ることができるのみならず、利便性が大幅に向上する。また、電動機等扉体を自動的に開扉するための高価な機器を備えていないから、そのような機器を備えたものに比べて安価となる。
【００２５】
本通船ゲートにおいては、開扉された扉体３を自動的に閉扉する装置が備えられている。
この装置の一例としては、図７に示すように、観音開き式に開閉させ得る二枚の扉体３，３を前記枠体２に取り付けるためのテーパー型ヒンジ２ｂとこのテーパー型ヒンジ２ｂの枢軸に取り付けられている圧縮ばね１０とねじりばね１１とを挙げることができる。この圧縮ばね１０の圧縮力とねじりばね１１のねじり力により、開いている両扉体３，３をテーパー型ヒンジ２ｂの枢軸を中心にして自動的に閉じることができる。すなわち、開扉された扉体を自動的に閉扉することができる。
【００２６】
開扉された扉体を自動的に閉扉する装置として、上記の場合とは別に、枠体２に扉体３を開閉自在に取り付けるために通常用いられるヒンジ（例えば、図９、図１０において、図面符号２ｂ’で示す扉支持金具など）の枢軸に取り付けられている圧縮ばねとねじりばねと補助的に扉体３から吊り下げられているウエイト１２とを挙げることができる。この場合には、通常用いられるヒンジにより枠体２に取り付けられている扉体３が、このヒンジの枢軸に取り付けられている圧縮ばねの圧縮力とねじりばねのねじり力と補助的に扉体３から吊り下げられているウエイト１２の重みにより、通常のヒンジの枢軸を中心にして自動的に閉まる。従って、開扉された扉体を自動的に閉扉することができる。
【００２７】
開扉された扉体を自動的に閉扉する装置として、扉体３から吊り下げられているウエイト１２を用いてもよい。この場合には、扉体から吊り下げられているウエイトの重みのみの極めて簡単な機構で、開扉された扉体を自動的に閉扉することができる。
【００２８】
ウエイト１２を設ける場合においては、本発明の一例を示す図３及び従来例を示す図１０に示すように、左右二枚の扉体３，３の下方にそれらに対応させてワイヤ取付金具１３，１３を取り付け、これによりウエイト１２を吊り下げるためのワイヤロープ１４を左右二枚の扉体３，３にそれぞれ定着するとともに、各ワイヤロープ１４，１４の途中を前記枠体２にそれぞれ取り付けたガイドローラ１５，１５に掛架してある場合が多い。本実施形態の場合も従来例を示す図１０の場合も、ウエイト１２を取り付ける方式は同じである。従って、同じ部材については同じ図面符号で示してある。
左右二枚の扉体３，３を押し開いて船舶Ｃが通過すると、ウエイト１２の重みによって左右二枚の扉体３，３を自動的に閉じることができる。
【００２９】
また、図３及び図１０に示す場合とは異なるウエイト取付方式も考えられる。例えば、図８に示すように、左右二枚の扉体３，３の下方にそれらに対応させてワイヤ取付金具１３ａ，１３ａを取り付け、これによりワイヤロープ１４ａの一端を左右二枚の扉体３，３にそれぞれ定着するとともに、各ワイヤロープ１４ａ，１４ａの途中を前記枠体２内に配置した方向転換ローラ１５ａにより水平状に延び出させ、さらに、別の方向転換ローラ１５ａにより直角に方向転換させて枠体２の垂直方向上端近くまで延長し、この枠体２の上端近くに配置した別の方向転換ローラ１５ａによりさらに方向転換させるとともに、動滑車１６に掛架した後の端部を枠体２の上端近くに定着し、前記動滑車１６にウエイト１２ａを取り付けた場合を挙げることができる。
【００３０】
この方式は、少なくとも各ワイヤロープ１４ａ，１４ａの途中以遠とウエイト１２ａとを枠体２内に収納できるようにしたものである。この方式を採用した場合には、たとえ水深がない場合でもウエイト１２ａが着底しないため、扉体３の自動閉鎖（自動閉扉）が可能となり、この点において、扉体３からウエイト１２を吊り下げる場合に比べて極めて有利である。
【００３１】
扉体３が閉扉しているとき、両ウエイト１２ａ，１２ａは図８の実線の位置にあり、船舶Ｃにより左右二枚の扉体３，３が押し開かれると、両ワイヤロープ１４ａ，１４ａは引き出され、それに伴って両ウエイト１２ａ，１２ａは図８の鎖線の位置にくる。
左右二枚の扉体３，３を押し開いて船舶Ｃが通過すると、各ウエイト１２ａ，１２ａの重みによって左右二枚の扉体３，３を自動的に閉じることができる。左右二枚の扉体３，３が閉じると、図８の鎖線の位置にあった両ウエイト１２ａ，１２ａは図８の実線の位置に戻る。
【００３２】
上に例示したように、開扉された扉体を自動的に閉扉する装置が備えられていると、通船後、開扉された左右二枚の扉体３，３は上述したように自動的に閉扉するとともに、閉扉された図２〜図５の右側の扉体３に取り付けられているロックピン５が、回転運動に変換されて上述したように両扉体３，３にそれぞれ形成されている溝３ｃ，３ｃに自動的に嵌まり込み、自動的に施錠、ロックすることができる。
【００３３】
そして、ここに示す場合には、通船ゲートＢを船舶Ｃが通過する際、その推進力だけで左右二枚の扉体３，３を解錠、開扉することができ、逆に、通船後においては、左右二枚の扉体３，３を自動的に施錠、ロックすることができる。従って、左右二枚の扉体３，３の解錠、開扉ならびに施錠作業の安全性を向上させることができるのみならず、利便性が大幅に向上する。また、電動機等扉体３を自動的に開扉するための高価な機器を備えていないから、それらを備えたものに比べて安価となる。
【００３４】
ここには、観音開き式の二枚扉に本発明を適用した場合を例示した。この場合には、二枚の扉体３，３のうちの一方をもう一方の扉体３に固定できれば良いから、この場合には、二枚の扉体３，３のうちのいずれか一方（例えば、図２〜図５の右側に現れる扉体３）に、ロックピン５を取り付け、少なくとも相手側の扉体（図２〜図５の左側に現れる扉体３）に、前記ロックピン５を嵌め込むための溝３ｃを形成しておけばよい。
開閉部分における被固定側と開閉部分における固定側との位置関係を逆にしても良く、その場合には、ロックピン５を設ける位置と、前記溝３ｃを設ける位置とを逆にすれば良い。
【００３５】
また、本発明はここに例示した観音開き式の二枚扉の場合のほか、片開き式の一枚扉にも適用することができる。この場合には、観音開き式の二枚扉の場合とは異なって枠体２に扉体３を固定するのが普通であり、片開き式の一枚扉にロックピン５を設け、枠体２側に溝３ｃを設ける。
【００３６】
【発明の効果】
請求項１記載の通船ゲートによれば、船舶の堆進力だけで解錠することができるから、作業員の安全性の向上を図ることができるのみならず、利便性が大幅に向上する。また、電動機等扉体を自動的に開扉するための高価な機器を備えていないから、そのような機器を備えたものに比べて安価となる。
【００３７】
請求項２記載の通船ゲートによれば、極めて簡単かつ安価な自動ロック手段を用いて、通船後、開扉された扉体が自動的に閉扉するとともに、閉扉された扉体を自動的に施錠、ロックできる。また、船舶の堆進力だけで解錠することができるから、作業員の安全性の向上を図ることができるのみならず、利便性が大幅に向上する。さらに、電動機等扉体を自動的に開扉するための高価な機器を備えていないから、そのような機器を備えたものに比べて安価となる。
【００３８】
請求項３記載の通船ゲートによれば、開扉された扉体を自動的に閉扉する手段により、開扉された扉体を自動的に閉扉し、この閉扉に応じてロック部材を被固定側となる扉体に自動的に係合し、自動的に施錠、ロックできるので、施錠に便ならしめ得る効果がある。
【００３９】
請求項４記載の通船ゲートによれば、テーパー型ヒンジとこのヒンジの枢軸に取り付けられている圧縮ばねの圧縮力とねじりばねのねじり力により、開扉された扉体を自動的に閉扉することができるから、ロック部材が少なくとも相手側の扉体に施錠、ロックされた閉扉状態を自動的に維持できる効果がある。
【００４０】
請求項５記載の通船ゲートによれば、通常用いられるヒンジとこのヒンジの枢軸に取り付けられている圧縮ばねの圧縮力とねじりばねのねじり力と補助的に扉体から吊り下げられているウエイトの重みにより、開扉された扉体を自動的に閉扉することができるから、ロック部材が少なくとも相手側の扉体に施錠、ロックされた閉扉状態を自動的に維持できる効果がある。
【００４１】
請求項６記載の通船ゲートによれば、扉体から吊り下げられているウエイトの重みのみで、開扉された扉体を自動的に閉扉することができるから、ロック部材が少なくとも相手側の扉体に施錠、ロックされた閉扉状態を極めて簡単な機構で自動的に維持できる効果がある。
【００４２】
請求項７記載の通船ゲートによれば、たとえ水深がない場合でもウエイトが着底しないため、扉体の自動閉鎖（自動閉扉）が可能となり、この点において、扉体からウエイトを吊り下げる場合に比べて極めて有利である。
【図面の簡単な説明】
【図１】通船ゲートを有する流木止め設備の設置状態を示す平面図である。
【図２】本発明の通船ゲートの一例を示す平面図である。
【図３】本発明の通船ゲートの一例を示す正面図である。
【図４】本発明の通船ゲートの一部を拡大して示す平面図である。
【図５】本発明の通船ゲートの解錠、施錠状態を示す概略図で、ロック部材であるロックピンで施錠されている状態を実線で、解錠されている状態を鎖線で示す。
【図６】本発明の通船ゲートの作動状態を段階的に示す概略図である。
【図７】本発明の通船ゲートにおける、開扉された扉体を自動的に閉扉する装置の一例を示す拡大正面図である。
【図８】開扉された扉体を自動的に閉扉するための別の装置を備えている通船ゲートを示す正面図である。
【図９】従来の通船ゲートの一例を示す平面図である。
【図１０】従来の通船ゲートの一例を示す正面図である。
【図１１】従来の手動による施・解錠装置の一例を示す拡大正面図である。
【符号の説明】
２…枠体、２ｂ…テーパー型ヒンジ、３…扉体、３ｃ…溝、５…ロックピン、５ａ…押上ピン、６…スライドアーム、７…船舶保護材、８…ブイプレート、８ａ…圧縮ばね、８ｂ…傾斜面、９…案内部材、９ａ…傾斜面、１０…圧縮ばね、１１…ねじりばね、１２，１２ａ…ウエイト、１３，１３ａ…ワイヤ取付金具、１４，１４ａ…ワイヤロープ、１５…ガイドローラ、１５ａ…方向転換ローラ、１６…動滑車、Ａ…流木止め設備、Ｂ…通船ゲート、Ｃ…船舶。
【図１】
2004132140.tif 000003
【図２】
2004132140.tif 000004
【図３】
2004132140.tif 000005
【図４】
2004132140.tif 000006
【図５】
2004132140.tif 000007
【図６】
2004132140.tif 000008
【図７】
2004132140.tif 000009
【図８】
2004132140.tif 000010
【図９】
2004132140.tif 000011
【図１０】
2004132140.tif 000012
【図１１】
2004132140.tif 000013